(57)【要約】      （修正有）【課題】子供の注意を、制約を受けている状態から反らし、心地よい誘導刺激反射を生成して、子供が我慢できるようにした安定器を提供する。【解決手段】静的姿勢用安定器Ｓは、それに逆らって患者の体を載せて拘束する踏み板１および垂直フレーム２を備え、踏み板は、外部ソースから来入する音声信号により開始される振動を、踏み板上および垂直フレーム上で発生させることができる電気的変換器を下面に備える。【選択図】図１
0003208125.tif 000002
【実用新案登録請求の範囲】
【請求項１】
旋回車輪（１１）が備えられた、足元の安定のための踏み板（１）、および、
患者の体が載せられて正確に拘束される高さ調節手段（５、７、１２，１３）が備えられ、垂直位置の患者のサポートの役目をすることを目的としたフレーム（２）からなり、
前記踏み板（１）は、前記踏み板（１）および前記フレーム（２）に振動が加えられるように、音声源から到来する音声信号から振動を生成することを目的とする装置（１４）を備える静的姿勢用安定器。
【請求項２】
前記装置（１４）は、少なくとも１つの音声変換器内に存在する振動を生成することを目的とする、請求項１に記載の静的姿勢用安定器。
【請求項３】
前記装置（１４）は、拡声器内に存在する振動を生成することを目的とする、請求項１に記載の静的姿勢用安定器。
【請求項４】
前記フレーム（２）は、前記踏み板（１）の横方向端部（１ａ）のすぐ近くに置かれた２本の対向する直立材（３）を備え、
前記患者の体が置かれ、かつ拘束される前記高さ調節手段（５、７、１２，１３）は、前記患者の身長に従って、望ましい高さで停止されることができるように、２本の前記直立材（３）間に滑動的に搭載される、請求項１〜３のうちいずれか一項に記載の静的姿勢用安定器。
【請求項５】
前記患者の体が置かれ、かつ拘束される前記高さ調節手段は、
ベルトが備えられ、前記垂直フレーム（２）の前記直立材（３）の２本の円筒管（３ａ）に対して垂直に滑動する第１の門型構造物（４）の横木の中央で固定され、前記患者の腰部領域に逆らって止められることを目的とする、第１の当て板（５）、
ベルトが備えられ、前記垂直フレーム（２）の前記直立材（３）の一対の管（３ｂ）に対して垂直に滑動する第２の門型構造物（６）の横木の中央で固定され、前記患者の肩甲骨領域に逆らって止められることを目的とする、第２の当て板（７）、
前記垂直フレーム（２）の前記直立材（３）に沿って垂直に滑動する、第３の横木（３）に固定され、患者の膝を正確に収容することを目的とする、一対のパッド入りシート（１２）、および、
前記垂直フレーム（２）の前記直立材（３）間に置かれた第４の横木（１０）に固定され、前記一対のパッド入りシート（１２）に対向する凹面を備えて搭載され、患者の靴の後部を正確に収納することを目的とする、一対のＣ型水平ブラケット（１３）を備える、
請求項１〜４のうちいずれか一項に記載の静的姿勢用安定器。
【請求項６】
前記第２の門型構造物（６）は、一対の水平方向に入れ子式のアーム（８ａ）に接続され、前記第２の当て板（７）と反対の位置にある棚（８）を支持することを目的とする、請求項１〜５のうちの一項に記載の静的姿勢用安定器。
【考案の詳細な説明】
【技術分野】
【０００１】
産業のための本考案は、音波による振動が可能な静的姿勢用安定器に関する。
【背景技術】
【０００２】
周知のように、垂直な姿勢を保つことができない人は、一般的に安定器として知られており、そのような人を支援することを目的とし、以下の２つの機能を持つ補助器具を通常利用する。
−  自律的な垂直な姿勢の訓練を行い獲得する機能
−  そうしなければ実現することができない、独立した姿勢の代替として、両足に負荷をかけて垂直な姿勢を保つ機能
【０００３】
安定器により、障害を持つ患者が（患者を支持する支持手段により）総合的な安全性を備えた垂直姿勢を保つことができ、体の以下の３つの基本的な部位を安定化させることができる。
−  最善の足の支持を保証するために、調節可能な踏み板上に載せる足
−  患者の様々な要求および特性に従って調節することが可能で、関節がへたらないようにする調節可能サポート上に載せる膝
−  高さ、幅、深さに関して一般的に調節可能で、患者が安全な位置、およびさらに正しい姿勢を保てるようにする対応するサポートにより支持された骨盤体幹
【０００４】
体のこれらの３つの部位の安定性を保証することにより、患者は他者のいかなる援助がなくても、自律的かつ安全に垂直姿勢を保つことができる。
【０００５】
周知のように、従来の安定器が損なわれているのは、患者が安定器を使いたがらないので、安定器が十分に受け入れられていないという深刻な欠陥があるためである。
【０００６】
特にそうなった理由は、普通の安定器には、我慢できないくらい使用者の運動の自由を制限して、患者の体を固定して使用するシステムが装備されているからである。このことは、周りの空間を「探検」したがる傾向があり、窮屈な位置になじむだけの能力を十分に持ちあわせないという生涯の一時期にいる、同様の制約を受け付けようとはしない小さな子供の場合に、とてもよくあてはまる。
【０００７】
典型的な安定器は、その上に載った患者を固定するために、垂直フレームが搭載された踏み板を備える。そのようなフレームは、その間に異なる高さに横木が置かれ、高さを調節する能力があり、足、膝、骨盤および胸部の高さで患者の体を束縛するのに使用する手段が備えられた直立材を備える。従って、類似した装置のユーザが知覚する束縛感、とりわけ運動能力をそのように過重に制限する場合の子供が苦しむ我慢のできない気持ちは容易に理解することができる。
【考案の概要】
【考案が解決しようとする課題】
【０００８】
従来技術およびその特定の欠点を注意深く検討した結果、上記問題を解決して、安定器に関する制約条件について、子供が我慢できるようにした本考案の安定器が得られた。
【課題を解決するための手段】
【０００９】
本考案の創意は、音楽のリズムで振動し、患者が載せられて置かれている垂直フレームに対しても、振動を伝達伝達することができる踏み板を備えた、本考案の安定器を提供することである。特に、外部ソースから音声信号を受信した時に、そのような振動は、振動を発生させることができる装置により踏み板に伝達される。
【考案の効果】
【００１０】
安定器の垂直フレームに伝達された振動は、フレームに固定された患者の手足にも伝達され、特に子供の注意を、制約を受けている状態から反らすのに役を立つ、心地よい誘導刺激反射を生成して、安定器に対する我慢をもっと耐えうるものにすることができる。
【００１１】
本考案の追加の特性は、説明するだけで、限定する目的ではない添付の図面を参照することにより、明らかになる。
【図面の簡単な説明】
【００１２】
【図１】図１は、本考案の安定器の軸測投像図である。
【図２】図２は、図１の安定器の側面図である。
【図３】図３は、図１の安定器の背面図である。
【考案を実施するための形態】
【００１３】
図を参照すると、本考案の安定器（Ｓ）は以下の部品で形成されている：
−  安定器（Ｓ）を簡単に動かすための４つの旋回車輪上に搭載された、実質的に正方形の踏み板（１）；
−  踏み板（１）から垂直に突出して、患者の体が載せられ固定された手段を支持するフレーム（２）。フレーム（２）は、金属製でよい。フレーム（２）は、踏み板（１）の横方向端部（１ａ）のすぐ近くに固定された２本の直立材（３）を備える。直立材（３）は踏み板の横方向端部（１ａ）に対して実質的に平行な位置でそれぞれ整列された３本の円筒管（３ａ、３ｂ、３ｃ）を備える。
【００１４】
３本の円筒管は、
−  踏み板（１）の正面端部（１ｂ）近くにある第１の円筒管（３ａ）、
−  第１の円筒管と同じ高さがあり、第１の円筒管（３ａ）に対して後方位置に置かれている第２の円筒管（３ｂ）、
−  高さは第２の円筒管（３ｂ）よりも高く、第２の円筒管に対して後方位置に置かれている第３の円筒管（３ｃ）。
【００１５】
２本の第１の円筒管（３ａ）は、安定器（Ｓ）上の患者の腰部領域に逆らって止める目的の第１の当て板（５）を固定するために使用することを目的とする横木に備えられた、第１の門型構造物（４）の垂直棒を滑動的に受け入れるように設計されている。
【００１６】
時々安定器（Ｓ）を使用する患者の身長に第１の当て板（５）の高さを調節するために、２本の第１の円筒管（３ａ）に対して垂直に摺動するという第１の門型構造物（４）の能力が提供される。
直立材（３）の２本の第２の円筒管（３ｂ）および２本の第３の円筒管（３ｃ）は、第２の門型構造物（６）の垂直部を滑動的に受け入れることを目的とする。第２の門型構造物（６）の垂直部はそれぞれ、互いに接続され、第２の円筒管（３ｂ）内に、および第３の円筒管（３ｃ）内に挿入されることを目的とする、平行な一対の棒（６’、６’’）で形成される。この一対の棒は、対応する第２の円筒管（３ｂ）内に挿入する目的の第１の棒（６’）、および第３の円筒管（３ｃ）内に挿入する目的の第２の棒（６’’）を備える。
【００１７】
２本の第１の棒（６’）は、患者の肩甲骨領域に逆らって止める目的の第２の板（７）を支持する横木（６ｂ）により上部で接続されている。
【００１８】
２本の水平方向の入れ子式のアーム（８ａ）が、踏み板（１）の後方端部（１ｃ）に向けて突出する２本の第２の棒（６’’）の上部で固定されている。水平方向の入れ子式のアーム（８ａ）は、患者が自分の腕を置けるようにするだけでなく、患者の対象部位を支持するのに使用することができる棚（８）を支持している。
【００１９】
第２の門型構造物（６）の２本の垂直部分は交互に摺動するので、時々安定器（Ｓ）を使用する患者の身長に第２の当て板（７）の操作高さを調節することができる。
【００２０】
２つの当て板（６、７）には、患者の胴体をしっかりと包囲して、望ましい垂直姿勢に保持することを目的とした対応するベルト（添付の図面には示されない）が備えられている。
【００２１】
第３の横木（９）が、安定器（Ｓ）フレーム（２）の直立材（３）の間で滑動的に固定されている。第３の横木（９）は、２本の直立材（３）の後ろに、つまり踏み板（１）の後端部（１ｃ）に向けて置かれている。
【００２２】
２つのパッド入りシート（１２）が第３の横木（９）上に搭載されるが、踏み板（１）上に患者の膝を収容するのが目的である。患者の身長の適切な高さにこの横木（９）が固定された場合にのみ、シート（１２）に患者の膝を正しく挿入することができる。
【００２３】
第４の横木（１０）が２本の直立材（３）の反対側の側面上、つまり踏み板（１）の前端部（１ｂ）に向けて搭載されている。第４の横木（１０）は、踏み板（１）の表面上に置かれる。第４の横木（１０）の役目は、踏み板（１）の後端部（１ｃ）に向けてくぼみを持って搭載される２つのＣ型ブラケット（１３）を水平方向に支持することである。このＣ型ブラケット（１３）の役目は、安定器（Ｓ）上に患者の靴の後部を正確に収納して、しっかり包み込むことである。患者の膝用シート（１２）および患者の靴用ブラケット（１３）は、垂直姿勢が保たれている患者の体についての、安定器（Ｓ）のさらなる制約箇所になる。
【００２４】
踏み板（１）は、踏み板上に置かれたフレームに（２）と同様に、踏み板（１）にも振動を伝える目的とする、音またはいずれにせよ音波を拡散させるのに使用する装置（１４）に関連付けられる。
【００２５】
添付した図面に示される好ましい実施形態によれば、装置（１４）は、変換器に送信される音声型電気信号による振動を伝達することを目的とする、少なくとも１つの音声変換器、すなわち１つの拡声器を備える。そのような場合、音声信号が音楽の一節であれば音声変換器は、演奏される音楽の一節で使用される楽器の様々な強度および特性に従って、様々な振動を生成する。音声変換器は踏み板（１）の下側に搭載され、安定器の外側に置かれた音声源に接続されている。音声源と音声変換器の間に増幅器を置くこともできる。
【００２６】
最終的な効果は、音声変換器の音波により生成された振動が、踏み板（１）上に搭載されたフレーム（２）にも、従っていくつかの重要な恩恵を受ける、金属のフレームに拘束された患者の体に伝達されることである。
【００２７】
音声ファイルを演奏することができるサウンドシステムで構成された音声源に接続されている増幅器を使用して、音声変換器が起動され、音波が放射され、振動が生成され、音声変換器により踏み板（１）およびフレーム（２）へ伝達される。安定器（Ｓ）の振動を受け取れる患者の体は、物理的に拘束される耐えがたい器具として知覚されるのではなく、患者をフレーム（２）に厳密に接続し続けるのに使用する手段が、音波および振動を伝搬することにより生成される、心地よい体への刺激の伝達物となるようにすることにより、一種の共鳴板になる。
【００２８】
音楽により生成される楽音および振動は、視覚的刺激のような他の感覚刺激とは異なり、子供の注意を常に引き付ける。さらに、脳のリズム領域、運動の応答、および反射を刺激する音楽と協力すれば脳の働きがよくなる。さらに、音楽と言語の間には脳内で何らかの関係が存在する。
【００２９】
従って、その構造により患者に伝達される感覚刺激を介して、および意欲を掻き立てる音楽のパワーを介して、本考案による安定器（Ｓ）は、
−  子供たちがセラピストと一緒に機能回復訓練へ積極的な参加すること、
−  子供たちが、家族または仲間と一緒にリクリエーション活動（例えば、映画鑑賞する、ビデオゲームを使用する、物語または音楽を聴く）へ参加すること、
−  子供たちおよび両親のメンタルヘルスを著しく増進することができるので、障害を持つ子供たちとの積極的な経験を共有することができるようにしている。
【００３０】
安定器（Ｓ）は、
Ａ．子供たちが反応に乏しく、協力的でない場合でも、支援を受けること、
Ｂ．従来の安定器では一般的になっている、治療上の態様の全てを増やすこと、
Ｃ．ユーザにより知覚される刺激、子供の自律神経系、知覚および感情システムの刺激の数を増やすこと、
Ｄ．（例えば、低緊張、高緊張、または目の不自由な子供たち、または感覚障害を持つ子供たちのような）患者の運動神経系および感覚神経の応答を刺激ずることを保証する。
【００３１】
本考案の安定器（Ｓ）は、
安定器の既知の概念に関して、静的姿勢のための支援と患者の姿勢の間の関係を著しく変え、
−  完全な受け身の支援から能動的な支援へ変換し
−  安定器の使用を心地よい陽気な機会とし
−  子供たちと両親および仲間たちとの関係を向上させ
−  認知心理学的発育および自律の可能性を増加させ
−  安定器を幼少時に使用しなかった場合に、普通は徐々に発生する可能性がある付加的な二次性合併症（潰瘍、後湾症および脊椎変形）の始まりを著しく制限した。
【図１】
0003208125.tif 000003
【図２】
0003208125.tif 000004
【図３】
0003208125.tif 000005